Podtech/llm-jp-corpus-v4-ja_patent huggingface dataset:
(57)【要約】【課題】  字幕放送の監視者が、字幕の一字一句を確認しながら監視すると、大変な労力を必要とする。更に監視者１人でサイマル放送されているアナログ放送、デジタル放送、ワンセグ放送の全てを一度に監視することは困難である。【解決手段】  サイマル放送されているアナログ放送、デジタル放送、ワンセグ放送の字幕データをリアルタイムに字幕データ受信部１に入力し、字幕データ比較部２で各サービスの受信タイミングと字幕データの内容を比較することにより、字幕放送を監視する。受信タイミングまたは、字幕データの内容に不一致があれば、アラーム出力部４でアラーム５を発生させ、更にログ出力部３でエラー内容や発生時刻をログに記録する。【選択図】図１
2008118601.tif 000002
【特許請求の範囲】
【請求項１】
サイマル放送されているアナログ放送、デジタル放送、ワンセグ放送の字幕データを受信し、各サービスの字幕データ内容を比較することにより、字幕放送を監視する。
【請求項２】
サイマル放送されているアナログ放送、デジタル放送、ワンセグ放送の字幕データを受信し、各サービスの字幕データ受信タイミングを比較することにより、字幕放送を監視する。
【発明の詳細な説明】
【技術分野】
【０００１】  本発明は、サイマル放送されている字幕放送の監視に関わるものであり、監視方法を工夫することにより、人が行っていた字幕放送の監視をシステムで行えるようにしたものである。
【技術背景】
【０００２】  特になし。
【発明の開示】
【発明が解決しようとする課題】
【０００３】  字幕放送の監視者が、字幕の一字一句を確認しながら監視すると、大変な労力を必要とする。更に監視者１人でサイマル放送されているアナログ放送、デジタル放送、ワンセグ放送の全てを一度に監視することは困難である。
【課題を解決するための手段】
【０００４】  この課題を解決するための発明は図１に示すとおり、サイマル放送されているアナログ放送、デジタル放送、ワンセグ放送の字幕データをリアルタイムに字幕データ受信部１に入力し、字幕データ比較部２で請求項１の各サービスの字幕データの内容比較と請求項２の各サービスの受信タイミングの比較を行い、字幕放送を監視する。受信タイミングまたは、字幕データの内容に不一致があった場合、アラーム出力部４でアラーム５を発生させ、更にログ出力部３でエラー内容や発生時刻をログに記録する。
【発明の効果】
【０００５】  本発明により、サイマル放送されているアナログ放送、デジタル放送、ワンセグ放送の字幕放送を１人で監視することができ、監視負荷が軽減される。
【発明を実施するための最良の形態】
【０００６】  図２に発明を実施するための最良の形態を示す。まず放送波６から、アナログＡＩＲ７を取得し、それを文字放送受信チューナー９に入力することによりアナログ放送の字幕データを取得する。同じく放送波からデジタルＡＩＲをデスクランブルして、ＭＰＥＧ２ＴＳ８をＭＰＥＧ２ＴＳ入力カード１０から、デジタル放送とワンセグ放送の字幕データをリアルタイムで入力する。これにより、文字放送受信チューナーからアナログ放送の字幕データが取得でき、ＭＰＥＧ２ＴＳ入力カードからは、デジタル放送とワンセグ放送の字幕データが取得できる。その後は、［０００４］で説明した手順と同様に字幕放送の監視を行う。
【産業上の利用可能性】
【０００７】  本発明に係わる字幕放送監視システムは、工業的に量産する事が可能である為、産業上の利用可能性を有する。
【図面の簡単な説明】
【０００８】
【図１】字幕放送監視システムの概要図である。
【図２】字幕放送監視システムの実施例の図である。
【符号の説明】
【０００９】  １  放送信号から字幕データを抽出して受信する処理
２  受信した字幕データの受信タイミングと内容の監視処理
３  エラー発生時にログを出力する処理
４  エラー発生時にアラームを出力する処理
５  エラー発生時のアラーム
６  放送波
７  アナログＡＩＲ
８  デジタルＡＩＲ信号から取得したＭＰＥＧ２ＴＳ
９  アナログＡＩＲから文字放送を受信するチューナー
１０  ＭＰＥＧ２ＴＳ入力カード
【図１】
2008118601.tif 000003
【図２】
2008118601.tif 000004
(57)【要約】【目的】畑の農作物などを生育する際、生長してつるを伸ばす等の株を支える目的で使用する支柱を容易に設置可能な網状支柱を提供する。【構成】網状に作られた網支柱の主柱３の、かぎ状の下部５を基底板６の半円アーチ状フック掛け８に接続する。網支柱は基底板上で取り付け角度が１８０度可動可能になり、合掌式、分掌式、各形態に組み立て可能である。網支柱の主柱３上各２カ所に半円アーチ状フック掛け４がある。分掌式固定棒１０の先端フック部１１を半円アーチ状フック掛け４に接続する。２組の網支柱を４本の分掌式固定棒で接続することにより図７の分掌式支柱を組み立てる。２組の網支柱上端の横柱２を合わせて束線具などで固定して合掌式支柱    図６を組み立てる。基底板６のアンカー穴７にアンカ−９で地面に固定することで構成する。【選択図】  図６
2008118867.tif 000002
【特許請求の範囲】
【請求項１】
網状に形作られた支柱と、それらを地面上で連結する基底板と、基底板上の網状の支柱の角度が１８０度可動可能にすることにより支柱形状を合掌式または分掌式に自由に組み立て可能で、基底版を地面にアンカーで固定することにより網状の立体支柱を畑に設置できることを特徴とした網状支柱。
【発明の詳細な説明】
【技術分野】
【０００１】
本発明は野菜、草花、果物などを栽培する菜園で植物のつるが伸びて果実をつける過程の生育を補助する、容易に組み立て可能な網状支柱に関するものである。
【背景技術】
【０００２】
上記のような網状支柱を採用すれば、必要時に組み立て、アンカーで地面に固定すれば設置が完了する。撤去する場合はアンカーを外し解体する。収納と再使用が自在で非常に便利である。
【０００３】
ところで、一般に菜園用支柱を必要な形状に組み立てと分解する作業は、複数の棒状の支柱を組み合わせて縄などでゆわいて固定し、解体時も固定した部分を全て解く必要がある。
【発明の開示】
【発明が解決しようとする課題】
【０００４】
しかし上記のような方法による支柱の組み立てと解体は人手による作業を要し、菜園の規模が大きくなるほど労力と時間を要するのが問題である。
【０００５】
本発明は上記のような実情に鑑みなされたもので、網状に形成された支柱を必要時に組み立て、アンカーで地面に固定すれば設置作業が完了することで労力と時間の軽減を目的としている。
【課題を解決するための手段】
【０００６】
上記目的を達成するために本発明に係わる菜園用支柱は、網状に形成された支柱部を基底版上に、取り付け角度が１８０度自在な状態で取り付ける。
支柱部の取り付け角度を変えることで、合掌式、分掌式いずれの形状にも組み立て可能である。基底板には地面に固定するための穴が設けられており、この穴にアンカーを刺して地面に固定する。
【発明の効果】
【０００７】
本発明を使用することにより植物の生長時に、つるを伸ばし果実をつける過程における株を支える目的の支柱を設置および解体する作業時間を短縮することができる。
【実施例】
【０００８】
以下、本発明の実施例を図面に基づいて説明する。この網状支柱の構成部品は網支柱、基底板、分掌用固定棒、アンカーを設けている。
【０００９】
網支柱は図１、図５に示すように網状に作られており網支柱の主柱各２カ所に半円アーチ状フック掛けがある。分掌式固定棒の先端フック部を掛けて、２組の網支柱を４本の分掌式固定棒で接続することにより分掌式支柱を組み立てる。主柱下部は、かぎ状になっており、基底板上の半円アーチ状フック掛けに掛けることにより、網支柱は基底板上で取り付け角度が１８０度可動可能になる。これにより合掌式、分掌式、各形態に組み立て可能である。
【００１０】
基底板は図２、図５に示すように２カ所の半円アーチ状フック掛けがあり、ここに網支柱の、かぎ状の下部を接続する。両端には地面に固定するためのアンカーを通す固定穴がある。
【００１１】
アンカーは図３、図５に示すように基底板の固定穴に通して地面に打ち付けて支柱全体を固定する。
【００１２】
分掌式固定棒は図４、図５に示すように、両端がフック状になっており、網支柱の主柱部の半円アーチ状フック掛けに接続し、２組の網支柱を平行に保つことで分掌式支柱を形成する。
【００１３】
合掌式支柱は図６に示すように両網支柱の横柱に束線具で固定することで形成する。
【００１４】
分掌式支柱は図７に示すように分掌式固定棒で両網支柱を平行に固定することで形成する。
【図面の簡単な説明】
【００１５】
【図１】網支柱の斜視図である。
【図２】基底板の斜視図である。
【図３】アンカーの斜視図である。
【図４】分掌式固定棒の正視図である。
【図５】網支柱、基底板、アンカー、分掌式固定棒の接続部分図である。
【図６】網状支柱を合掌式に組み立てた場合の斜視図である。
【図７】網状支柱を分掌式に組み立てた場合の斜視図である。
【符号の説明】
【００１６】
１網支柱
２横柱
３主柱
４半円アーチ状フック掛けA
５フック部A
６基底板
７アンカー穴
８半円アーチ状フック掛けB
９アンカー
１０分掌式固定棒
１１フック部B
１２束線具
【図１】
2008118867.tif 000003
【図２】
2008118867.tif 000004
【図３】
2008118867.tif 000005
【図４】
2008118867.tif 000006
【図５】
2008118867.tif 000007
【図６】
2008118867.tif 000008
【図７】
2008118867.tif 000009
(57)【要約】【課題】簡単に、少しの力で確実な操作ができて、尚且つまな板を極力傷つけないように食材を固定する。【解決手段】  まな板に一端を固定して立てた支柱に、上下方向に自由に動かすことができ、且つ先端付近に下向きに針を取付けたアームを取付け、さらに、そのアームの途中を支点として、ハンドルを操作することによって針の直近を上下し、針に刺さった食材を取り除くことができる設備を取付ける。【選択図】図５
2008118896.tif 000002
【特許請求の範囲】
【請求項１】
まな板に一端を固定して立てた支柱に、上下方向に自由に動かすことができ、且つ先端付近に下向きに針を取付けたアームを取付け、さらに、そのアームの途中を支点として、ハンドルを操作することによって針の直近を上下し、針に刺さった食材を取り除くことができる設備を取付けた目打ち装置。
【発明の詳細な説明】
【技術分野】
【０００１】
本発明は、うなぎなどの食材を調理するときに、まな板に簡単に固定でき、尚且つ簡単に食材を取り除くことができる目打ちに関するものである。
【背景技術】
【０００２】
うなぎ、どじょうなどヌルヌルして生きた食材を捌くときなど、調理を円滑に素早く行うために、食材の一端をまな板に固定する方法が採られ、その装置として単に先を尖らせた千枚通し、又は釘のようなものが用いられてきた。
【０００３】
そして、その用法としては、「包丁を握っていない利き腕で目打ちを持ち、うなぎなどの食材に突き刺し、再び包丁を握り、その包丁で目打ちをまな板に叩き込んで固定する。
【０００４】
その目打ちを食材から離すときは、又、包丁を置き、目打ちを握って引き抜く。」と、包丁を持ったり置いたりの作業を要し、その上、目打ちを包丁で叩き込むためにまな板の傷みが激しかった。
【０００５】
そのため、従来の目打ちは、まな板への叩き込み方が弱いと調理の途中で外れ、充分叩き込んだときは引き抜くときに苦労することになり、女性や子供では非力であり作業がしにくいなどの問題があった。
【発明の開示】
【発明が解決しようとする課題】
【０００６】
解決しようとする問題点は、簡単に、少しの力で確実な操作ができて、尚且つまな板を極力傷つけないように食材を固定するものである。
【課題を解決するための手段】
【０００７】
この発明は、作業中に容易に外れたりすることがないように、又、まな板を傷つけるほど打ち込まなくても良いように、まな板と目打ち装置を一体化させることである。
【０００８】
さらに、少しの力で容易に食材から針を引き離すことができるように、てこの原理を利用する。
【発明の効果】
【０００９】
この発明は、包丁を持ったままの手で、尚且つ少しの力で操作できるため、調理に要する時間が短縮でき、又、叩き込む必要がないので、まな板に傷がつきにくいという効果がある。
【発明を実施するための最良の形態】
【００１０】
まな板に一端を固定した支柱を立てる。
【００１１】
その支柱の上端付近を支点として、まな板上を上下方向に自由に動かすことができるアームを取付ける。
【００１２】
そのアームの先端付近に、下向きに針を取付ける。
【００１３】
又、そのアームの途中を支点として、ハンドルを操作することによって針の直近を上下し、針に刺さったものを取り除くことができる設備を取付ける。
【００１４】
支柱をまな板に固定するについては、ねじ等で直接取付ける方法もあるが、まな板に座金等を取付け、蝶ナット等で簡単に着脱できる様にするほうが好ましく、試作品ではこの方法を採用した。  
【００１５】
針は、アームの支点を中心とした円弧状に曲げたほうが食材の安定上並びに食材を取り除く設備の動きから好ましく、試作品ではそのような形状とした。
【００１６】
アームは、試作品ではパイプを使用したが、衛生上からは丸棒あるいは角棒が好ましい。
【実施例１】
【００１７】
図１は、この発明装置で食材を固定しようとするところを手前から見たものであり、１のアームを上から指などで押さえることにより、６の支点を中心としてアームが下に向かって回転、下降を始め、２の針が食材に接触する。
【００１８】
続けてアームを押さえることにより針は食材に突き刺さる。
【００１９】
さらに続けてアームを押さえることにより、食材を貫通した針は、まな板に接触する。
【実施例２】
【００２０】
図４は、この発明装置で食材が固定されたところを手前から見たものであり、この状態で食材を調理する。
【実施例３】
【００２１】
図５は、この発明装置から食材を取り除くところを手前から見たものであり、３のハンドルを指などで左に押すことにより、ハンドルと連結された４の針の直近の設備が下がり、針が刺さっている食材に触れる。
【００２２】
さらにハンドルを押し続けることにより、４の針の直近の設備がさらに下がり、その反作用により針が食材から引き抜かれる。
【産業上の利用可能性】
【００２３】
この発明は、まな板である台に物体を容易に且つ確実に固定し、又、容易に取外しができる装置であり、物体を食材から布等に代えることにより裁縫に応用するなど様々な用途に利用可能である。
【図面の簡単な説明】
【００２４】
【図１】目打ち装置の実施方法を示した説明図である。（実施例１）
【図２】目打ち装置を支柱の側から水平に見た図である。
【図３】目打ち装置を針の先端の側から上向きに見た図である。
【図４】目打ち装置の実施方法を示した説明図である。（実施例２）
【図５】目打ち装置の実施方法を示した説明図である。（実施例３）
【符号の説明】
【００２５】
１  アーム
２  針
３  ハンドル
４  針の直近の設備
５  支柱
６  支点
【図１】
2008118896.tif 000003
【図２】
2008118896.tif 000004
【図３】
2008118896.tif 000005
【図４】
2008118896.tif 000006
【図５】
2008118896.tif 000007
(57)【要約】【課題】  桑の実は熱を加えても溶けて固まりにくい性質がありジャムの主原料に適さない点に鑑み、桑の実がゼリー状に固まると共に、健康上に資する桑の実ジャムを製造する新規の方法を提供せんとする。【解決手段】  本発明の桑の実ジャムの製造方法は、冷凍状態の桑の実、寒天、砂糖及び水を混合して、かき混ぜながら煮ることを特徴とする。冷凍の桑の実は潰して混合しても良く、また、酸味料を加えて混合しても良い。【選択図】  なし【特許請求の範囲】
【請求項１】
冷凍状態の桑の実、寒天、砂糖及び水を混合して、かき混ぜながら煮ることを特徴とする桑の実ジャムの製造方法。
【請求項２】
冷凍の桑の実を潰して混合することを特徴とする請求項１記載の桑の実ジャムの製造方法。
【請求項３】
酸味料を加えて混合したことを特徴とする請求項１又は２記載の桑の実ジャムの製造方法。
【発明の詳細な説明】
【技術分野】
【０００１】
本発明は桑の実ジャムの製造方法に関するものである。
【背景技術】
【０００２】
桑の木は従来蚕の餌となる葉を目的として栽培されてきた経緯があり、その実についての活用はあまり知られていなかった。
しかし、桑の実にはアントシアニンを多く含み、眼精疲労に有効であり、老化防止、高血圧予防、免疫力の向上等、その他多くの効能があると言われている。
【０００３】
そこで、本発明は桑の実をジャムの主原料として用いることにより、ジャムが広く用いられる用途を利用して、桑の実の摂取を容易とすることが期待できるものとなる。
ところで、桑の実を原料とするジャムの製法として例えば特開平０９−７０２５８があり、通常のジャムの製造法を基本的にそのまま転用したものである。
【特許文献１】特開平０９−７０２５８
【発明の開示】
【発明が解決しようとする課題】
【０００４】
桑の実は熱を加えても溶けて固まりにくい性質があり、ジャムの主原料に適さないものと考えられ、商品化を遠ざけているのである。
そこで、上記特開平０９−７０２５８では水飴を多量に混合して桑の実を固めているのである。
【０００５】
本発明は、桑の実は熱を加えても溶けて固まりにくい性質があり、ジャムの主原料に適さない点に鑑み、桑の実がゼリー状に固まると共に、健康上に資する桑の実ジャムを製造する新規の方法を提供せんとするものである。
【課題を解決するための手段】
【０００６】
本発明の桑の実ジャムの製造方法は、冷凍状態の桑の実、寒天、砂糖及び水を混合して、かき混ぜながら煮ることを特徴とするものである。
【０００７】
冷凍の桑の実は潰して混合しても良く、また、酸味料を加えて混合しても良い。
【発明の効果】
【０００８】
桑の実にはアントシアニンを多く含み、眼精疲労に有効であり、老化防止、高血圧予防、免疫力の向上等、その他多くの効能があり、ジャムの形態に変ることにより、ジャムの幅広い用途で摂取される効果を得られるのである。
【０００９】
また、酵素の分解に強い寒天を混合することにより、桑の実をゼリー状として固定できるため、外見上及び食感上もジャムとして受け入れられる効果を発揮するものである。
【００１０】
そして、寒天は植物繊維で殆どカロリーがなくダイエット食品として、また、分解してアガロオリゴ糖となり健康食品として注目されており、新たなジャム食品として桑の実との相乗効果も期待できるのである。
【００１１】
桑の実を冷凍状態としておくことで、腐りやすい桑の実の保存が可能であると共に、冷凍のまま混合して加熱することで、桑の実の風味と特性を逃がすことなく寒天中に固定することが出来る効果を有する。
【００１２】
冷凍状態の桑の実を潰して混合したものは、全体がゼリー状になるため滑らかな舌触りのジャムとなり、潰さないでそのまま混合したものは実の形がある程度残って、柔らかなざらつきの食感となる特徴があり、好みに応じて製造できるものである。
【００１３】
クエン酸やレモン汁等の酸味料を加えることにより、酸味の付与・調整ができ、すっきりとした味覚のジャムを提供できるものである。
【発明を実施するための最良の形態】
【００１４】
本発明の桑の実ジャムの製造方法は、冷凍状態の桑の実、寒天、砂糖及び水を混合して、かき混ぜながら煮ることを特徴とするものである。
桑の実は収穫後、必要により水洗いして冷凍保存したものを使用する。
桑の実を冷凍状態としておくことで、腐りやすい桑の実の保存が可能であると共に、必要な量をそのまま使用できるものである。
【００１５】
寒天は特に品質等に限定はないけれど、高純度で溶解性に優れる粉末状のものや、沈殿しにくく焦げ付きにくいフレーク状のものが良い。
寒天の量を変えることによりジャムのゼリー状の固まりの調節が可能であり、混合する量は用途や好みによって適宜決めるものである。
【００１６】
砂糖はグラニュー糖を用いるのが通例であるけれど、これに限定されるものではなく、他の砂糖や、数種類混ぜて使用しても良い。
【実施例】
【００１７】
冷凍保存されている桑の実、寒天、砂糖及び水を容器に投入し、中火で加熱し、木ベラでゆっくりかき混ぜながら５乃至８分間煮る。
冷凍した桑の実は、そのままの形でも、潰して粉砕したもののいずれでも良い。
桑の実、寒天、砂糖及び水の各量は夫々任意に決定でき、桑の実の味や甘みの強弱、ゼリー状の硬軟等を任意に調整し、用途や好みに対応するものとなる。
【００１８】
そして、ある程度混合・溶融した後、弱火にして更に加熱し、同前の様に木ベラでゆっくりかき混ぜながら１０乃至２０分間ほど煮続ければ、目的の桑の実ジャムを得られるのである。
得られたジャムは、熱いうちに清潔な容器に詰めて保存することとなる。
【００１９】
冷凍保存されている桑の実、寒天、砂糖及び水に、クエン酸やレモン汁等の酸味料を更に混入させて、同様の工程で酸味が付与されすっきりとした味覚のジャムを得ることができる。
(57)【要約】      （修正有）【課題】従来の禁煙タバコは本来のタバコを吸う動作を伴わずに内部のエアロゾルを吸引するだけであり、タバコを箱から取り出して火を点けると言う動作の習慣性を補えていない。これをカバーする禁煙タバコを提供する。【解決手段】使用者が本来のタバコを吸うための動作、即ち５の部分に着火を行ない、フィルター部１を吸引すると内紙７がギザギザ８に触れて破れ、禁煙タバコの内部にあるエアロゾル３をフィルター部１から吸引できる。【選択図】図１
2008118974.tif 000002
【特許請求の範囲】
【請求項１】
着火動作をして着火することにより従来のタバコの煙を吸うタイミングで内部のエアロゾルを吸引できる禁煙タバコ。
【発明の詳細な説明】
【技術分野】
【０００１】  本発明は、本来のタバコを吸う着火動作によりエアロゾルを吸引できる様にした禁煙タバコに関する。
【背景技術】
【０００２】  従来の禁煙タバコ・パイプは本来のタバコを吸うときの着火動作を行なわなくてもエアロゾルの吸引が行なえる。しかし、これではタバコの習慣性による依存の部分をカバーできていない。
【発明の開示】
【発明が解決するための手段】
【０００３】  従来の禁煙タバコは、本来のタバコをやめようとする人の、ニコチン中毒以外のタバコを箱から取り出し火を点ける。と言う動作の習慣性依存を補えない。そこで、この習慣性依存をカバーできる禁煙タバコを実現することを目的とするものである。
【課題を解決するための手段】
【０００４】  本発明は上記目的を達成するために図１の５部分に着火すると同時に１のフィルター部を吸う。５は着火により破れ、７の内紙は８の内部のギザギザに触れて破れ、空気が流れる。そして３に含まれているエアロゾルを吸引できる。
【０００５】  図１の５・６・７は内部３に含まれるエアロゾルが蒸発しない様にそして本来のタバコ感を損なわない様に外側は紙、内側はビニール系（できれば燃焼した時に有毒ガスを発生しない物質が望ましい）でコーティングされたものが良い。
【０００６】  本禁煙タバコは本来のタバコと外見が似ていた方が良いと思われるので、図１の１は本来のタバコと同じフィルター材が望ましい。
【０００７】  図１の２は上記０００６の理由と同じく本来のタバコと同じ抵抗となる様な素材のフィルターが望ましい。
【０００８】  図１の３は吸引するエアロゾルを含ませられ上記０００７の内容を満たす素材のフィルターが望ましい。
【０００９】  図１の４は５部分に着火、１部を吸引した際に２部分に燃え移らない空間距離と素材（たとえば、厚紙・金属・レジンなど）が望まれる。
【００１０】  図１の８の内部のギザギザは５の延長部の７を着火・吸引と同時に破るために付ける。材質は厚紙・金属・レジンなどで形成する。
【００１１】  図１の３に滲みこませるエアロゾルが乾燥するおそれの無い物品の場合は２・３部にその物品の適量に応じて入れ、なおかつ外装紙である５・６は本来のタバコと同様の通気性のある紙で良い。そして７の内部紙と８の構造は必要なくなる。
【発明の効果】
【００１２】  ０００３の目的を達成するために適量本数をパッケージに入れて使用者に届けることは有効手段だと思う。
【図面の簡単な説明】
【００１３】
【図１】  本発明の実施形態を示す禁煙タバコの断面図
【図１】
2008118974.tif 000003
(57)【要約】【課題】この発明は、農地耕作面の農作物を傷めず又、除草作業の労力の軽減をはかり効率よく除草が出来る、除草機を提供する。【解決手段】この発明の除草機は、動力源のエンジンの回転を操作桿の中の回転軸を回転させて農作物を傷めない機能を備えたカバーに内臓された、除草刃を有するローターを回転させて、除草作業が行うことの出来る除草機を提供する。【選択図】図１
2008118975.tif 000002
【特許請求の範囲】
【請求項１】
一端が小型の動力源に連結され、且つ内部に動力源からの回転を伝達する伝動軸が挿入された、パイプ状の操作桿、この操作桿の他端に取り付けられ、伝動軸の回転が除草刃を有するローターに回転を伝達される駆動軸を支持するボックス、このボックスがパイプ状の操作桿と農地耕作面との角度の変化に応じて、農作物を傷めないように取り付けられたカバーが、変動できる機能を有する除草機
【請求項２】
動力源は、ガソリンエンジン又は電動モーターでなる請求項１に記載の除草機
【請求項３】
前記ボックス内には、前記伝動軸の回転を駆動軸の回転に変換し、除草刃を有するローターを回転させる伝動機構が収容されている請求項１又は２に記載の除草機
【請求項４】
前記ボックス内には、前記伝動軸の回転を駆動軸の回転に変換し除草刃を有するローターに設けられた歯車と直角に噛み合う歯車から構成される歯車伝動機構であることからなる、請求項３に記載の除草機
【請求項５】
前記伝動機構は、前記伝動軸の回転を前記除草刃を有するローターを回転させる機能を遮断する機能を有する請求項４に記載の除草機
【請求項６】
前記伝動機構は、前記伝動軸の端部に設けられた、螺旋状の歯車と前記除草刃を有するローターに設けられた歯車との動力伝達を強制的に解除する機能、及び自動的に解除できる機能を有する請求項４．５からなる除草機
【請求項７】
前記除草刃を有するローターの刃は農地耕作面を撹拌する刃と除草を行う刃と二種類の刃を有する請求項４．５．６に記載の除草機
【請求項８】
前記除草刃を有するローターを内装するボックスを、農作物の種類や農地耕作面の形状に応じて交換できる機能を有する請求項４．５．６．７に記載の除草機
【発明の詳細な説明】
【技術分野】
【０００１】この発明は、農地耕作面の農作物を傷めずに除草を行い、除草作業の労力の軽減化及び除草作業の効率化を目的とした除草機にかんする。
【背景技術】
【０００２】従来、農地耕作面の除草作業はクワ、カマ等の農機具を用いて人力でおこなわれていた、また、化学薬品等の除草剤を散布して雑草が生息しないように農地の管理をおこなっていた。
又、農作物の収穫後の除草はトラックター等の比較的大型の機械で農地耕作面を攪拌して雑草を土中に埋め込んだり、２サイクルエンジン等排気量の小さい原動機を有する草刈機で雑草を切断して除草をおこなっていた。
【発明の開示】
【発明が解決しようとする課題】
【０００３】人力による、クワ、カマ等の農耕具よる除草は小規模の農地では効率良く除草は行なわれるが、比較的大きい農地耕作面の除草作業は多数の人力を必要とし又、重労働で作業効率が良くない。
トラックター等、比較的大型の機械による除草は農作物が生息していない時は効率よく除草が出来るが、農作物が生息している時にはトラックターによる除草は不可能です、又小型のエンジンを動力とする草刈機では農地耕作面に生息している雑草を切断できるが、根元からの除草は不可能であり農作物を傷める恐れがある。
【課題を解決するための手段】
【０００４】この発明は、上記の課題を解決する為に、小型の原動機を用いて除草刃有する小型の除草刃を有するローターを回転させ除草を行い、又農作物を傷めないようにボックスで前記ローターを覆った除草機を提供する。【０００５】この除草機は、除草刃を有するローターの回転で農作物を傷めないように、保護機能を有するボックスを有し、このボックスと連結された操作桿が農地耕作面との角度の変化に応じて除草刃が農作物を傷めないように、ボックスの保護機能が変動する機構を有する。【０００６】ボックスの農作物を保護する機能は。除草刃を有するローター及びカバーの支持体に取り付けられたローター軸を基点として前部と後部に設けられた支持体の取付部を中心に扇状に上下に変動できる能力を有する除草機【０００７】この除草機は、除草作業中の安全及び農作物を傷めないように、動力源が起動中でも、除草刃を有するローターの回転を停止する機能を有する除草機である【０００８】この除草刃を有するローターの回転を停止する機能は除草刃を有するローターの軸受けをテコの原理を応用して、Ｌ形の部材を操作して伝動軸の回転と除草刃を有するローターの回転を強制的に遮断する、又他の方法としては、除草刃を有するローターの軸受けにローター軸が上下に移動できる機構を設けて除草刃を有するローターの自重で落下して伝動軸の回転を遮断する除草機を提供する。
【発明の効果】
【０００９】この発明による除草機によれば、除草刃の付いたローターの回転で農作物を傷めることなく広範囲の農地耕作面の除草が効率よくおこなわれ、又作業者の労働力の軽減が可能です。
【発明を実施するための最良の形態】
【００１０】この発明の除草機は、比較的小型の動力源を用いて、除草刃を有するローターを回転させて除草作業を行なうので、雑草の生長時期の初期や、雨上がりの農地耕作面が比較的軟らかい時に除草作業を行なうほうが、労力を消耗しなくて効率よく除草が行なわれる、又除草刃を内装するボックスの大きさを変更することにより、農作物に応じて除草が可能となる。
【実施例】
【００１１】この発明の除草機は、家庭用電気掃除機で室内を掃除するような取り扱いで、農地耕作面を前後左右に除草刃を有するローターを内装するボックスを移動させて除草作業を行なう。
【図面の簡単な説明】
【図１】この発明による除草機の全体図
【図２】保護機能を有するボックスを取除いた、除草刃を有するローターを装着した状態
【図３】除草刃を有するローターの歯車と伝動軸の端部に設けられた螺旋状の歯車が噛み合った状態のボックス内の側面図
【図４】除草刃を有するローターの歯車と伝動軸の端部に設けられた螺旋状の歯車が離れた状態のボックス内の側面図
【図５】除草刃を有するローターがローターの重さで伝動軸の端部に設けられた螺旋状の歯車から離れた状態の側面図
【図６】ボックス内の除草刃を有するローターの斜図
【符号の説明】
１．  除草機操作ハンドル
２．  エンジン（エンジン）
３．  除草刃を有するローター
４．  操作桿
５．  除草刃を有するローターのカバー
６．  除草刃を有するローター及びカバーの支持体
７．  伝動軸
８．  伝動軸に装着された螺旋状の歯車
９．  除草刃を有するローターの軸に装着された歯車
１０．除草刃を有するローターの軸受け
１１．除草刃を有するローターの軸
１２．軸受けを上下させるＬ形部品
１３．Ｌ形部品を操作するワイヤー
１４．Ｌ形部品を操作するワイヤーに連結されたレバー
【図１】
2008118975.tif 000003
【図２】
2008118975.tif 000004
【図３】
2008118975.tif 000005
【図４】
2008118975.tif 000006
【図５】
2008118975.tif 000007
【図６】
2008118975.tif 000008
(57)【要約】【課題】かまぼこが従来の海産物のみの練り物であるという観念を払拭し、新たな香りと味覚の付加価値をつけることによって、和風食品であると限定せず、洋食の分野の食品としてもかまぼこの食品価値を高める。また、ご飯のおかずであるという範疇を超えた、料理の一品としての位置づけをかまぼこに持たせ、かまぼこの新しい食べ方と、市場を獲得する方法を提供すること【解決手段】魚やイカなどの海産物のすり身を固める前に、ポルチーニやモリーユ、トリュフ、松茸、椎茸、エリンギなどのきのこの生、あるいは乾燥物、あるいはその粉末を包埋させ、きのこの食感と香り、風味を持たせる。また、そのときにワインやブランデー、ウイスキー、ジン、ウォッカなどの洋酒を混ぜより洋風の風味を際立たせる。かまぼこに包埋させるきのこは、固形のものみならず、きのこから抽出したエキスでもよい。【選択図】なし【特許請求の範囲】
【請求項１】
きのこ類を含ませたかまぼこ
【請求項２】
きのこ類の抽出エキスを含ませたかまぼこ
【請求項３】
きのこ類がしいたけ、松茸、エリンギなどの日本国内品種であるかまぼこ
【請求項４】
きのこ類がポルチーニ、モリーユ、トリュフなどの外国産品種であるかまぼこ
【請求項５】
きのこ類の粉末などを含ませたかまぼこ
【請求項６】
きのこ類とともに、ワインやブランデー、ウイスキー、ジン、ウォッカなどの洋酒を含ませたかまぼこ
【請求項７】
きのこ類とともにオリーブオイルやごま油を含ませたかまぼこ
【請求項８】
きのこ類の香りと風味を持つ合成添加物を含ませたかまぼこ
【発明の詳細な説明】
【技術分野】
【０００１】本発明は、きのこを含有するかまぼこ及びその製造方法に関する。
【背景技術】
【０００２】従来、かまぼこは魚やイカのすり身を原料とし、海産物加工品として流通しているものである。その風味は海産物特有のものであり、意外な取り合わせで、独自性があり、特に香りに重点を置いた食欲をそそる風味を持つものは販売されていない。【０００３】また、従来、海産物以外の香りが主な特徴であるかまぼこは販売されていない。
【発明が解決しようとする課題】
【０００４】本発明の課題は、従来の海産物のみの練り物であるという観念を払拭し、新たな香りと味覚の付加価値をつけることによって、ご飯のおかずであるという範疇を超えた、料理の一品としての位置づけをかまぼこに持たせ、かまぼこの新しい食べ方と、和風食品であるという限界を超えた市場を獲得する方法を提供することにある。
【課題を解決するための手段】
【０００５】本発明のきのこかまぼこは、きのこそのもの及びきのこのエキスをかまぼこに含有させ、きのこの風味をかまぼこに付加することによって、新しい味覚を生み出す。
【０００６】用いるきのこは、しいたけや松茸、エリンギなどの国内品種及びポルチーニやモリーユ、トリュフなどの輸入品を用いる。
【０００７】かまぼこに上記きのこの生をそのまま練りこむ。このとき、きのこをかまぼこに埋入させてもよいし、かまぼこの表面にきのこが姿を現すように埋め込んでも、また表面にきのこを付着させてもよい。
【０００８】かまぼこに上記きのこを乾燥したものを練りこむ。この場合、特にしいたけや、ポルチーニなどは干すことによって増強した香りや栄養素などをかまぼこに付加することができる。また、粉末状にしたきのこも、強い風味を付加するのに適している。
【０００９】かまぼこに上記きのこの絞り汁あるいは水溶液や食用油などにつけておいて抽出したエキスを練りこむ。食用油は、オリーブオイルやごま油でもよく、これらの油は上記きのこそのものをかまぼこに包埋させるときにも個別に加えてもよい。また、実際のきのこエキスでなくとも、きのこの香りや風味を持つ合成添加物を含ませてもよい。
【００１０】かまぼこにワインやブランデー、ウイスキー、ジン、ウォッカなどの洋酒を混ぜる。これだけでも洋風のかまぼこになるが、本発明のきのこかまぼこにこれらの洋酒を混ぜると、きのこかまぼこの洋風の風味を増強することができる。
【発明の効果】
【００１１】本発明によれば、従来のかまぼこにない、きのこの鮮烈な香りや食感を付加することができ、また、きのこ特有のビタミンやアミノ酸などの栄養素を付加することができる。
【００１２】ワインやブランデー、ウイスキー、ジン、ウォッカなどの洋酒を混ぜることによって、洋食の一品としても、例えばワインに合う料理としてもかまぼこを食することができる。
【発明を実施するための最良の形態】
【００１３】以下、本発明の実施の形態について詳細に説明する。
【実施例１】
【００１４】主に白身魚やイカのすり身に、塩やみりんなどを加え粘り気がでるまで練る。このときワインなどの洋酒を加えるとより洋風の風味を蒲鉾に持たせることができる。乾燥ポルチーニをそのまま固まる前の上記かまぼこで包み、蒸し上げる。加熱することで固まったかまぼこを冷やし、目的のきのこかまぼこを得る。【００１５】乾燥ポルチーニを水あるいはオリーブオイルに数時間漬け込み、水の場合は煮沸あるいは凍結乾燥によって濃縮し、オリーブオイルの場合はそのまま固まる前のかまぼこと混ぜる。【００１６】乾燥ポルチーニの粉末を水あるいはオリーブオイルに数時間漬け込み、水の場合は煮沸あるいは凍結乾燥によって濃縮し、オリーブオイルの場合はそのまま固まる前のかまぼこと混ぜる。
【実施例２】
【００１７】きのこをしいたけで実施例１と同様の加工を行う。
【産業上の利用可能性】
【００１８】本発明によれば、きのことその香りという意外性のある取り合わせの風味をかまぼこに付加することによって、とかくご飯のおかずとしてしか目されていなかった和風食品のかまぼこに、鮮烈な風味と洋食の前菜としての位置づけや、ワインなどの洋酒のつまみとしての洋風食品としての位置づけなど、新たな市場を獲得できる可能性がある。
(57)【要約】【課題】直流電流の通電を抑制した可変容量素子を提供することを目的としている。【解決手段】強誘電体層２を介して平板型電極３ａ，３ｂを対向配置した第１の容量素子３と、強誘電体層２上に形成するとともに櫛型電極４ａ，４ｂを対向配置した第２の容量素子４とを有し、平板型電極３ａ，３ｂと櫛型電極４ａ，４ｂとを強誘電体層２を介して互いに対向させずに、一方の平板型電極３ａと一方の櫛型電極４ａとを電気的に接続した構成である。【選択図】図１
2008118070.tif 000002
【特許請求の範囲】
【請求項１】
誘電体層を介して平板型電極を対向配置した第１の容量素子と、前記誘電体層上に形成するとともに櫛型電極を対向配置した第２の容量素子とを有し、前記平板型電極と前記櫛型電極とを前記誘電体層を介して互いに対向させずに、一方の前記平板型電極と一方の前記櫛型電極とを電気的に接続した可変容量素子。
【請求項２】
他方の前記平板型電極は入力用信号線路と電気的に接続し、他方の前記櫛型電極は出力用信号線路と電気的に接続し、一方の前記平板型電極と一方の前記櫛型電極とは電圧印加用バイアス信号線路と電気的に接続した請求項１記載の可変容量素子。
【請求項３】
前記誘電体層はサファイアまたはＭｇＯの単結晶基板上に形成した請求項１記載の可変容量素子。
【請求項４】
前記平板型電極または前記櫛型電極は、金、白金、銅、アルミニウム、銀、パラジウム、チタン、クロム、タングステンからなる群より選択される一種の金属もしくは二種以上を組み合わせた合金からなる請求項１記載の可変容量素子。
【請求項５】
前記誘電体層はエピタキシャル強誘電体である請求項１記載の可変容量素子。
【発明の詳細な説明】
【技術分野】
【０００１】
本発明は、携帯電話やディジタル放送等の情報通信機器に用いる可変容量素子に関するものである。
【背景技術】
【０００２】
従来の可変容量素子は、高誘電率薄膜の印加電圧に伴う、大きな誘電率の変化を利用した薄膜コンデンサのことであり、その構成は図３に示すように、例えば、基板８とこの上に形成された金属薄膜からなる下部電極９と、その上に、例えば、チタン酸ストロンチウム、チタン酸バリウムストロンチウム、チタン酸ジルコン酸鉛などのペロブスカイト型結晶構造を有する誘電体などの高誘電率薄膜１０を形成し、さらにその上に形成された上部電極１１からなる。
【０００３】
なお、この出願の発明に関する先行技術文献情報としては、例えば、特許文献１，２が知られている。
【特許文献１】特開平１１−２６０６６７号公報
【特許文献２】特開２００５−１０８８８７号公報
【発明の開示】
【発明が解決しようとする課題】
【０００４】
上記構成の可変容量素子は、直流電圧を印加することで強誘電体の分極量を調整して容量値を可変してきたが、その強誘電体に印加した直流電圧により直流電流が発生して信号線路を流れ、この直流電流が他のシステムに影響を与えるという問題点を有していた。
【０００５】
本発明は上記問題点を解決し、直流電流の通電を抑制した可変容量素子を提供することを目的としている。
【課題を解決するための手段】
【０００６】
上記問題点を解決するために本発明は、誘電体層を介して平板型電極を対向配置した第１の容量素子と、前記誘電体層上に形成するとともに櫛型電極を対向配置した第２の容量素子とを有し、前記平板型電極と前記櫛型電極とを前記誘電体層を介して互いに対向させずに、一方の前記平板型電極と一方の前記櫛型電極とを電気的に接続した構成である。
【発明の効果】
【０００７】
上記構成により、第１の容量素子では平板型電極面に直流電圧を加えることにより容量値が可変されるが、第２の容量素子では櫛型電極面に直流電圧を加えることができないので容量値が可変されず、第１の容量素子と第２の容量素子とを組み合わせて用いることにより、直流電流の通電を抑制することができる。
【発明を実施するための最良の形態】
【０００８】
以下、本発明の一実施の形態について図面を参照しながら説明する。
【０００９】
図１は本発明の一実施の形態における可変容量素子の平面図、図２は図１のＡ−Ａ断面図である。
【００１０】
図１、図２において、可変容量素子は、基板１と、この基板１上に形成した強誘電体層２と、この強誘電体層２を介在させるように強誘電体層２の上下面に平板型電極３ａ，３ｂを対向配置して形成した第１の容量素子３と、強誘電体層２の上面に櫛型電極４ａ，４ｂを対向配置して形成した第２の容量素子４とを備えている。このとき、この平板型電極３ａ，３ｂと櫛型電極４ａ，４ｂとは強誘電体層２を介して互いに対向させないように配置している。
【００１１】
また、一方の平板型電極３ａと一方の櫛型電極４ａとは強誘電体層２の上面に配置して電気的に接続するとともに、強誘電体層２の上面に配置した電圧印加用バイアス信号線路５と電気的に接続している。他方の平板型電極３ｂは強誘電体層２の下面に配置するとともに基板１の上面に配置した入力用信号線路６と電気的に接続し、他方の櫛型電極４ｂは強誘電体層２の上面に配置するとともに基板１の上面に配置した出力用信号線路７と電気的に接続している。入力用信号線路６を強誘電体層２の下面まで配置して他方の平板型電極３ｂを兼ねるようにしてもよい。
【００１２】
基板１は、例えば、サファイアまたはＭｇＯの単結晶を用い、平板型電極３ａ，３ｂおよび櫛型電極４ａ，４ｂは、金、白金、銅、アルミニウム、銀、パラジウム、チタン、クロム、タングステンからなる群より選択される一種の金属もしくは二種以上を組み合わせた合金を用い、強誘電体層２はエピタキシャル強誘電体を用い、入力用信号線路６および出力用信号線路７はＴｉ／Ｐｔ電極を用いればよい。
【００１３】
なお、櫛型電極４ａ，４ｂは導体損を抑えるため、櫛幅２．５μｍ以上、櫛厚み０．２５μｍ以上、櫛長１００μｍ以上が好ましい。
【００１４】
上記構成により、第１の容量素子３では平板型電極３ａ，３ｂの面に直流電圧を加えることにより容量値が可変されるが、第２の容量素子４では櫛型電極４ａ，４ｂの面に直流電圧を加えることができないので容量値が可変されず、第１の容量素子３と第２の容量素子４とを組み合わせて用いることにより、小型で、かつ、直流電流の通電を抑制することができる。
【００１５】
また、第１の容量素子３と第２の容量素子４は同じプロセスで形成することができるので、製造も容易となる。
【００１６】
さらに、基板１の上に線路ＳｉＯ2膜を形成してから可変容量素子を構成することで、基板１の誘電正接によるＱ値の劣化を防ぐこともできる。
【産業上の利用可能性】
【００１７】
以上のように本発明にかかる可変容量素子は、直流電流の通電を抑制でき、通信機器等に用いることができる。
【図面の簡単な説明】
【００１８】
【図１】本発明の一実施の形態における可変容量素子の平面図
【図２】図１のＡ−Ａ断面図
【図３】従来の可変容量素子の断面図
【符号の説明】
【００１９】
１  基板
２  強誘電体層
３  第１の容量素子
３ａ  平板型電極
３ｂ  平板型電極
４  第２の容量素子
４ａ  櫛型電極
４ｂ  櫛型電極
５  電圧印加用バイアス信号線路
６  入力用信号線路
７  出力用信号線路
【図１】
2008118070.tif 000003
【図２】
2008118070.tif 000004
【図３】
2008118070.tif 000005
(57)【要約】【課題】  ノズル近傍の拭き圧力を高め、回復効率を高める。横拭き時のブレードからのインク飛び散りを防ぐ。【解決手段】  ブレード固定で、ヘッド移動軌跡を曲線にし、ブレード位置がノズル近傍の時、移動速度を落とし、拭き圧を高めるような溝カム構成にする。【選択図】  図１
2008087446.tif 000002
【特許請求の範囲】
【請求項１】
ノズル列に対し直交する方向に弾性ブレードにてワイピングするヘッドのワイピング装置であって、（１）ブレードは固定であってヘッドがワイピング移動し、（２）ブレード進入量がノズル列に向かう時漸時増加し、（３）ノズル列より離れる時は漸時減少し、（４）ブレードはノズル列に向かう時漸時ワイピング速度が低くなり、押圧力が増加し、（５）ノズル列より離れる時漸時ワイピング速度が高くなり押圧力が低下し、（６）ブレード進入量が漸時増加する途中にノズル列が存在するようにまたは（７）ブレード進入量が漸時減少していく途中にノズル列が存在することを特徴としたワイピング装置。
【発明の詳細な説明】
【技術分野】
【０００１】
本発明はインクジェットプリンタのフルマルチ（ＦＭ）のヘッドのブレードワイピング装置に関するものである。
【背景技術】
【０００２】
１．横拭きワイピング（ノズル列に直角）
ブレード（ブレードはノズル列長さより長くなる。）をオリイフィス平面と平行に移動。駆動源はキャップ移動の駆動源と同じ。
【０００３】
２．縦拭きワイピング（ノズル列に平行）
略ヘッド厚み幅の小ブレードをノズル列長さ＋αストロークで移動させる。駆動源は縦拭き用に独立して設けてある。
【０００４】
３．１と２の並用
従来例としては、例えば特許文献１と特許文献２をあげることが出来る。
【特許文献１】特開平０８−０５８１１５号公報
【特許文献２】特開２０００−１９８２１１号公報
【発明の開示】
【発明が解決しようとする課題】
【０００５】
１．横拭き。ブレード進入量一定でオリイフィス面に突入する為、突入時駆動源負荷が急激に増加。一般に数個のヘッドへ長尺幅で同時に突入させる為大容量モータが必要となる。
【０００６】
ブレードがヘッド稜部に長尺幅でぶち当る為、ヘッドが正位置から動いたり、ブレードが傷んだり、オリイフィス面以外のゴミ等付着物をワイピング時捲き込み易い。ブレードがオリイフィス面より抜け去る時、弾性復元が急激な為、拭いインクを周辺に飛び散す。
【０００７】
２．縦拭き。長尺多ノズル分の拭いインクを保水させる装置の容量が小さいと溢れる恐れがある。一般に装置（ブレード貯留拭いインクを廃インク容器に移す装置）が複雑で、専用モータが必要となる。ワイピング時間が長い。
【０００８】
３．横拭き＋縦拭き
装置が複雑大型化し、ワイピング時間が長くなる。
【０００９】
一般に縦拭き時の拭いインク量を減らす為に、横拭きでおおかたのインクを拭うのに並用されている。
【課題を解決するための手段】
【００１０】
・縦拭きを止め、横拭きのみとし、ブレードが長尺幅でヘッド稜部にぶち当たらない様にすれば良い。
【００１１】
・ブレードがオリイフィス面より離れる前に、ブレード弾性力を働かさないようにすればインクは飛び散らない。
【００１２】
・ブレードの適正進入量は、ノズル近傍部だけにし拭き速度を落とし、その分移動駆動力を高めれば良い。（直流モータの特性を移用する）
・ヘッドキャッピング操作時、ヘッドがキャップ位置迄往復する途中にブレードを固定で配設すれば往復ピンタ式の２度拭きができる。
【００１３】
・ヘッド移動軌跡を上記手段対応にすればよい。カム溝形状のみで対応可能。
【発明の効果】
【００１４】
以上説明したように、本発明によれば、案内溝の形状により、ワイピング条件を決定することが可能となった。
【００１５】
ワイピング条件
・ブレード進入量
・ブレードの押圧力
・ブレードの拭きスピード
・ブレードの拭き途中の進入量変化
・ブレードの拭き途中の押圧力変化
・ブレードの拭き途中の拭きスピード変化
・ブレードのヘッド衝突力制御（緩入開始）
・ブレードの拭きインクの飛び散り制御（離脱時）
【発明を実施するための最良の形態】
【００１６】
（第１実施例）
請求項（１）〜（５）を含む実施例を図１〜３に示す。図２に於いて矢曲線Ａは１ａ〜ｄのヘッドノズル位置の移動軌跡を示す。すなわち１ａ〜ｄがキャップ５内にインク予備吐出した後、初期印字位置迄移行する時、４のサイドフレームにＡ曲線を描くように配設してある案内溝４ａに沿って、３のカムフォロアが６，７のスイングレバーにより移動させられる途中にブレード１１が固定配置されていればワイピングが行われる。図３に於けるアーム長Ｌが最も短くなる位置がブレード進入量がノズル近傍に最も大となり、ノズルを最も強く押圧し、速度が遅いワイピングがなされる。ワイピング移行間でＬが長くなる時の負荷増は５の弾性力が負荷減方向に働く為、移動駆動障害を起こすことはない。
【００１７】
（第２の実施例）
請求項（１）、（４）、（５）を含む実施例を図４に示す。４ａが直線案内。
【００１８】
（第３の実施例）
ブレード位置をずらすことにより請求項（６）、（７）が実施できる。
【図面の簡単な説明】
【００１９】
【図１】実施例１の外観図。
【図２】実施例１の側面模式図。
【図３】実施例１の部分模式図。
【図４】実施例２の外観図。
【符号の説明】
【００２０】
１ａ〜ｄ  ＦＭヘッド
２  ヘッド枠
３  カムフォロア
４  サイドフレーム
４ａ  案内溝
５  キャップ
６，７  スイングレバ
８  コンロッド
９  ピニオン
１０  モータ
１１  ブレード（ワイピングブレード）
２１  紙吸着ベルトユニット
【図１】
2008087446.tif 000003
【図２】
2008087446.tif 000004
【図３】
2008087446.tif 000005
【図４】
2008087446.tif 000006